(57)【要約】      （修正有）【課題】従来の駆動方式によるレーザーダイオードのような発光素子の出力を、矩形波のような間欠波形とすることで、レーザーポインターの消費電流を抑え、バッテリーの寿命を改善し、発振回路が異常動作となった場合において、発光素子の光出力が過大出力にならないよう制御することで安全面に考慮したレーザーポインターを提供する。【解決手段】レーザーポインターは発光素子部１１、発光素子を動作させるためのスイッチ部１３、電源電圧を供給するための電源供給部１４、発光素子の光出力を制御させるための駆動回路部１２、周波数成分を持った信号を生成する発振回路部１５、発振回路部の信号が異常動作時に発光素子の光出力が過大出力を抑える発振制御部１６を有している。発振回路により生成された信号が発光素子の光出力を制御する回路に印加されることにより、発光素子の出力特性の間欠動作が可能となり、発光素子が消費する電流値を抑えバッテリーの寿命を改善する。【選択図】図１
0003193509.tif 000002
【実用新案登録請求の範囲】
【請求項１】
発光素子の光出力を制御させるための駆動回路部を有する発光装置であって、電源電圧を供給する電源供給部と、前記発光素子部に、周波数成分を持った信号を生成する発振回路部、前記発振回路部の異常動作時に発光素子の光出力が過大出力を抑える発振制御部を有していることを特徴とするレーザーポインター
【請求項２】
請求項１記載の発振回路部は、周波数、デューティー比を任意に設定することができる機能を特徴とするレーザーポインター
【請求項３】
請求項１記載のレーザーポインターは、前記電源電圧から任意の電圧を生成して、前記発光素子部に任意の電源供給を行う昇圧回路部を有することを特徴とするレーザーポインター
【考案の詳細な説明】
【技術分野】
【０００１】本考案は、レーザーポインターに関するものである。
【要約】
【０００２】本発明の目的は、従来の駆動方式によるレーザーダイオードのような発光素子の出力を、矩形波のような間欠波形とすることで、レーザーポインターの消費電流を抑え、バッテリーの寿命を改善することが可能となり、発振回路が異常動作となった場合において、発光素子の光出力が過大出力にならないよう制御することで安全面に考慮したレーザーポインターを提供する。
【課題】
【０００３】レーザーポインターの実施例として、従来、電池２本でレーザーポインターを駆動させていたが、発光素子の構造などの影響により、消費電流が大きい発光素子、また、動作電圧が高い発光素子を使用する場合には、昇圧回路等で電源電圧を昇圧させる必要があり、電池寿命が短くなるという課題があった。
また、レーザーポインターのコンパクト化により、これまでの電池２本での駆動から、電池１本での動作が要求される場合においても電池寿命が大きな課題となっている。
【解決手段】
【０００４】課題を解決するためのレーザーポインターは、発光素子部、発光素子を動作させるためのスイッチ部、電源電圧を供給するための電源供給部、発光素子の光出力を制御するための駆動回路部、周波数成分を持った信号を生成する発振回路部、前記発振回路部の信号が正常に動作しているかを制御する、発振動作制御部を有している。
前記構成により、発振回路により生成された間欠波形を駆動回路に印加することにより、レーザーダイオードの出力特性を間欠動作させることができ、レーザーダイオードが消費する電流値を抑えることが可能となり、バッテリーの寿命を改善することができる。
しかしながら、前記発振回路を搭載するだけでは、前記発振回路が異常動作を起こした際に発光素子部が過大出力となる恐れがあり、前記発振制御部により異常動作を検知して、発光素子部が過大出力とならないように制御する機能を有している。
【請求の範囲】
【請求項１】
【０００５】発光素子の光出力を制御させるための駆動回路部を有する発光装置であって、電源電圧を供給する電源供給部と、前記発光素子部に、周波数成分を持った信号を生成する発振回路部、前記発振回路部の異常動作時に発光素子の光出力が過大出力を抑える発振制御部を有していることを特徴とするレーザーポインター
【請求項２】
【０００６】請求項１記載の間欠波形を生成する発振回路は、周波数、デューティー比を任意に設定することができる機能を特徴とするレーザーポインター
【請求項３】
【０００７】請求項１記載の発光装置は、前記電源電圧から、任意の電圧を生成して、前記発光素子部に任意の電源供給を行う昇圧回路部を有することを特徴とするレーザーポインター
【考案の詳細な説明】
【背景技術】
【０００８】プレゼンテーション等に用いられているレーザーポインターは、従来、電池２本で動作させていたが、発光素子の構造などの影響により、消費電流が大きい発光素子、また、従来の電池２本による電圧では、発光素子の動作電圧によっては、より高い電源電圧が必要となり、その際に昇圧回路等で電源電圧を昇圧させる場合などに、電池寿命が短くなるという課題があった。
また、レーザーポインターのコンパクト化により、これまでの電池２本での駆動から、電池１本での動作が要求される場合においても電池寿命が大きな課題となっている。
従来の実施例に係る構成のブロック図を図３に示す。
１０はレーザーポインターの筐体、１１は発光素子部、１２は前記発光素子の光出力を制御させるための駆動回路部、１３は発光素子部を動作させるためのスイッチ部、１５は電源電圧を供給するための電源供給部である。
発光素子部１１には赤色レーザーダイオード、緑色レーザーダイオード、及び青色レーザーダイオードなど、用途に応じて様々なレーザーダイオードが用いられる。
このとき、前記駆動回路部１２から、発光素子部１１へ供給される制御信号は連続制御信号が供給されることとなる。
【考案が解決しようとする課題】
【０００９】本考案の目的は、発光素子部の消費電流を抑えることで、電池寿命を改善したレーザーポインターを提供することにある。
【課題を解決するための手段】
【００１０】前記目的を達成するために、本考案に係るレーザーポインターは発光素子部、発光素子を動作させるためのスイッチ部、電源電圧を供給するための電源供給部、発光素子の光出力を制御させるための駆動回路部、周波数成分を持った信号を生成する発振回路部、前記発振回路部の信号が異常動作時に発光素子の光出力が過大出力を抑える発振制御部を有している。
前記構成により、発振回路により生成された信号が発光素子の光出力を制御する回路に印加されることにより、発光素子の出力特性の間欠動作が可能となり、発光素子が消費する電流値を抑えバッテリーの寿命を改善することができる。
【考案の効果】
【００１１】本考案は、レーザーポインターにおいて、間欠波形を発生させるための発振回路を有しており、発光素子へ連続制御信号ではなく、ある周期を持って変動する信号を印加することにより、発光素子の消費電流を抑えることが可能となり、電池寿命が改善されたレーザーポインターを提供することができる。
【考案を実施するための最良の形態】
【００１２】以下、本考案を実施するための最良の形態について、図面を参照して詳細に説明する。
【実施例】
【００１３】図１は本考案の実施例を示しているブロック図である。
１０はレーザーポインターの筐体、１１は発光素子部、１２は前記発光素子の光出力を制御させるための駆動回路部、１３は発光素子部を動作させるためのスイッチ部、１４は電源電圧を供給するための電源供給部、１５は周波数成分を持った信号を生成する発振回路部、１６は前記発振回路部１５が異常動作時に発光素子の光出力が過大出力を抑える発振制御部である。
発光素子部１１には赤色レーザーダイオード、緑色レーザーダイオード、及び青色レーザーダイオードなど、用途に応じて様々なレーザーダイオードが用いられる。
前記発振回路部１５から生成された周波数成分を持った信号は、前記駆動回路部１２を経由することで、前記発光素子部１１に間欠制御信号を供給している。
前記発振回路部１５は、発振周波数および、デューティー比を調整することで、ある周期を持って変動する信号の最適化が可能となり、前記発光素子１１の光出力、消費電流を、要求される仕様に応じて適宜変更することができる。
また、前記発振回路部１５には発振回路に異常が起きた際に、前記発振制御部１６により発光素子の光出力が過大出力を抑える機能を備えている。
前記、発振回路部１５を設けることにより、前記発光素子部１１の消費電流を抑えたレーザーポインターを構成することができる。【００１４】図２に、第２の実施例を示す。
１０はレーザーポインターの筐体、１１は発光素子部、１２は前記発光素子の光出力を制御させるための駆動回路部、１３は発光素子部を動作させるためのスイッチ部、１４は電源電圧を供給するための電源供給部、１５は周波数成分を持った信号を生成する発振回路部、１６は前記発振回路部１５が異常動作時に発光素子の光出力が過大出力を抑える発振制御部、１７は前記電源供給部の電圧から任意の電圧を生成する昇圧回路部である。
電源供給部１５からの電源電圧を、前記昇圧回路部１７において、種々の発光素子部の駆動電圧に最適な電圧値に変換して、前記発光素子部１１に電源供給を行っている。
発光素子部によっては、前記電源供給部１５の電源電圧よりも高い電源電圧を必要とする場合、もしくは前記電源供給部１５の専有面積を抑えてコンパクトなレーザーポインターを必要とする場合に前記昇圧回路部１７により、発光素子部への電圧最適化および、前記発振回路部１５を組み合わせることにより、様々な発光素子に対応した、低消費電流駆動のレーザーポインターを提供することができる。
【産業上の利用可能性】
【００１５】本考案は、レーザーポインターに発振回路を内蔵することで、発光素子部の消費電流を抑えることで、電池寿命を改善したレーザーポインターを提供することが可能となる。
【図面の簡単な説明】
【００１６】
【図１】は、本考案の第１の実施例に係る構成を示すブロック図である。
【図２】は、本考案の第２の実施例に係る構成を示すブロック図である。
【図３】は、従来の実施例に係る構成を示すブロック図である。
【符号の説明】
【００１７】１０：レーザーポインター筐体
１１：発光素子部
１２：駆動回路部
１３：スイッチ部
１４：電源供給部
１５：発振回路部
１６：発振制御部
１７：昇圧回路部
【図１】
0003193509.tif 000003
【図２】
0003193509.tif 000004
【図３】
0003193509.tif 000005